【手続補正書】
【提出日】平成27年3月12日(2015.3.12)
【手続補正１】
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
分解可能且つ再組立可能な建築構造物を施工するための測定不要システムであって、
複数の規則的に離間したアタッチメント受け要素（１２、１４、２２、２４）をそれぞれが有する複数の束柱（１０）及び根太（２０）を備えた、複数の組立式建築構成要素と、
前記複数の束柱（１０）及び根太（１２）を分解可能に接合するために前記規則的に離間したアタッチメント受け要素（１２、１４、２２、２４）に係入する複数の取り外し可能なアタッチメントと
を備え、前記規則的に離間したアタッチメント受け要素（１２、１４、２２、２４）は、分解可能且つ第１構成又は異なる構成に再組立可能である測定不要建築構造物の組み立てを可能にする測定不要システム。
【請求項２】
請求項１に記載のシステムにおいて、前記根太は、相互に接続されて根太を形成する少
なくとも１つの細長の根太セクションを備えるシステム。
【請求項３】
請求項２に記載のシステムにおいて、前記根太は、前記少なくとも２つの細長の根太セ
クションを相互に接合して前記根太を形成する少なくとも１つの固定部材をさらに備える
システム。
【請求項４】
請求項３に記載のシステムにおいて、前記束柱及び前記根太はそれぞれ、配管、配線、
暖房、換気、空調（ＨＶＡＣ）ダクティング、及び／又はセントラルバキュームダクティ
ングを受ける少なくとも１つの開口をさらに備えるシステム。
【請求項５】
分解可能且つ再組立可能な建築構造物を施工するためのキットであって、
第１外壁パネルアタッチメント及び第２外壁パネルアタッチメントを備えた、前記構造
物の内部及び外部を画定する外壁パネルと、
少なくとも２つの略細長の束柱であり、前記第１外壁パネルアタッチメント及び前記第
２外壁パネルアタッチメントの一方をそれぞれ受け止める少なくとも１つのアタッチメン
ト受け要素をそれぞれが備えることにより、前記第１壁パネルアタッチメント及び前記第
２壁パネルアタッチメントが前記アタッチメント受け要素に受け止められると、前記壁パ
ネルが前記少なくとも２つの束柱から離間して前記パネルと前記束柱それぞれとの間に空
間が画定される少なくとも２つの略細長の束柱と、
前記壁パネルに隣接して前記束柱それぞれの間に係合するよう構成した絶縁材と
を備え、前記空間は、前記構造物の前記内部と前記外部との間の熱橋効果を実質的に低減
し、前記建築構造物は、部分的又は完全に分解されて第１構成又は異なる構成に組み立て
直されるよう構成したキット。
【請求項６】
請求項１に記載のキットにおいて、前記絶縁材は、絶縁パネル、絶縁繊維、絶縁フォー
ム、吹き付け絶縁フォーム、ミネラルウール、セルロース、又はそれらの組み合わせから
選択されるキット。
【請求項７】
請求項６に記載のキットにおいて、前記絶縁パネルは、前記束柱それぞれの上に突出す
るリップをさらに備えるキット。
【請求項８】
請求項６又は７に記載のキットにおいて、前記第１壁パネルアタッチメント及び前記第
２壁パネルアタッチメントはそれぞれ、前記絶縁パネルを所定位置に固定する固定要素を
さらに備えるキット。
【請求項９】
請求項８に記載のキットにおいて、前記固定要素は少なくとも１つの舌部であるキット
。
【請求項１０】
分解可能な外壁パネルアタッチメントであって、
適合するアタッチメント受け要素に受け止められる第１分解可能アタッチメント部材と
、
適合する外壁パネルを受け止める第２分解可能アタッチメント部材と、
前記第１アタッチメント部材及び前記第２アタッチメント部材を接続するスペーサと
を備えた分解可能な外壁パネルアタッチメント。
【請求項１１】
請求項１０に記載の分解可能な外壁パネルアタッチメントにおいて、前記スペーサは固
定要素をさらに備える分解可能な外壁パネルアタッチメント。
【請求項１２】
請求項１１に記載の分解可能な外壁パネルアタッチメントにおいて、前記固定要素は少
なくとも１つの舌部である分解可能な外壁パネルアタッチメント。
【請求項１３】
３次元軸に沿って調整可能な束柱アンカーであって、
建築基礎に固着され、第１軸に沿って調整可能な装着部材を有するベース部材と、
保持部材であり、
前記装着部材に取り付け可能であり、第２軸に沿って調整可能な座部、及び
束柱を受け、第３軸に沿って調整可能な冠部
を有する保持部材と
を備え、基礎と正確に位置合わせされてそこに取り付ける前記束柱を水平にするよう３次
元軸に沿って調整可能である束柱アンカー。
【請求項１４】
請求項１３に記載の束柱アンカーにおいて、前記装着部材は、前記第１軸に沿った前記
座部の調整を可能にする第１調整部材を備える束柱アンカー。
【請求項１５】
請求項１３又は１４に記載の束柱アンカーにおいて、前記装着部材は少なくとも１つの
ねじロッドを備える束柱アンカー。
【請求項１６】
請求項１５に記載の束柱アンカーにおいて、前記装着部材は２つのねじロッドからなる
束柱アンカー。
【請求項１７】
請求項１３又は１４に記載の束柱アンカーにおいて、前記装着部材は装着継手を備える
束柱アンカー。
【請求項１８】
請求項１７に記載の束柱アンカーにおいて、前記装着継手は蟻継ぎである束柱アンカー
。
【請求項１９】
請求項１５又は１６に記載の束柱アンカーにおいて、前記第１調整部材は前記ねじロッ
ドに取り付けられるねじナットを備える束柱アンカー。
【請求項２０】
請求項１３〜１９のいずれか１項に記載の束柱アンカーにおいて、前記座部は、前記第
２軸に沿った前記座部の調整を可能にする第２調整部材を備える束柱アンカー。
【請求項２１】
請求項２０に記載の束柱アンカーにおいて、前記第２調整部材は少なくとも１つの開口
を備える束柱アンカー。
【請求項２２】
請求項２０に記載の束柱アンカーにおいて、前記第２調整部材は２つの開口を備える束
柱アンカー。
【請求項２３】
請求項２１又は２２に記載の束柱アンカーにおいて、前記少なくとも１つの開口は、略
円形、卵形、楕円形、及び矩形の開口の少なくとも１つである束柱アンカー。
【請求項２４】
請求項２０〜２３のいずれか１項に記載の束柱アンカーにおいて、前記第２調整部材は
固定部材を受けるよう構成される束柱アンカー。
【請求項２５】
請求項１３〜２４のいずれか１項に記載の束柱アンカーにおいて、前記冠部は、前記第
３軸に沿った前記冠部の調整を可能にする第３調整部材を備える束柱アンカー。
【請求項２６】
請求項２５に記載の束柱アンカーにおいて、前記第３調整部材は少なくとも１つの開口
を備える束柱アンカー。
【請求項２７】
請求項２６に記載の束柱アンカーにおいて、前記少なくとも１つの開口は、略円形、卵
形、楕円形、及び矩形の開口の少なくとも１つである束柱アンカー。
【請求項２８】
請求項２５〜２７のいずれか１項に記載の束柱アンカーにおいて、前記第３調整部材は
、前記冠部を前記座部に固定する少なくとも１つの固定部材を受ける束柱アンカー。
【請求項２９】
請求項２８に記載の束柱アンカーにおいて、前記少なくとも１つの固定部材は、ねじボ
ルト及びねじナットである束柱アンカー。
【請求項３０】
請求項１３〜２９のいずれか１項に記載の束柱アンカーにおいて、前記冠部は束柱受け
部材を備える束柱アンカー。
【請求項３１】
請求項３０に記載の束柱アンカーにおいて、前記束柱受け部材は締結具受け要素を備え
る束柱アンカー。
【請求項３２】
請求項３０又は３１に記載の束柱アンカーにおいて、前記束柱受け部材はブラケットを
備える束柱アンカー。
【請求項３３】
請求項１３〜３２のいずれか１項に記載の束柱アンカーにおいて、前記束柱アンカーは
、前記建築基礎への埋設、機械的固着、及び／又は接着的固着により、前記建築基礎に固
着される束柱アンカー。
【請求項３４】
分解可能な床アンカーシステム用のキットであって、
少なくとも２つの根太であり、該根太に沿った所定位置に位置付けた少なくとも１つの
ブリッジ要素をそれぞれが備える少なくとも２つの根太と、
前記ブリッジ要素に受け止められるラグを各端に備える少なくとも１つの二次根太と
を備え、該二次根太は、前記少なくとも２つの根太のそれぞれに挿入されると、該少なく
とも２つの根太に対して略垂直となり、床材面を受ける平面を形成し、
前記分解可能な床アンカーシステムを部分的又は完全に分解して第１構成又は異なる構
成に組み立て直すことができるキット。
【請求項３５】
請求項３４に記載のキットにおいて、前記根太は２つ以上のブリッジ要素を備えるキッ
ト。
【請求項３６】
請求項３５に記載のキットにおいて、前記２つ以上のブリッジ要素は固定の規則的間隔
で離間するキット。
【請求項３７】
請求項３４〜３６のいずれか１項に記載のキットにおいて、前記ラグは締結具受け要素
をさらに備えるキット。
【請求項３８】
請求項３４〜３７のいずれか１項に記載のキットにおいて、前記根太は少なくとも１つ
の締結具受け要素を備えるキット。
【請求項３９】
請求項３４〜３８のいずれか１項に記載のキットにおいて、前記根太は複数の締結具受
け要素を備えるキット。
【請求項４０】
請求項３４〜３８のいずれか１項に記載のキットにおいて、前記二次根太は少なくとも
１つの締結具受け要素を備えるキット。
【請求項４１】
請求項３４〜４０のいずれか１項に記載のキットにおいて、前記二次根太は複数の締結
具受け要素を備えるキット。
【請求項４２】
請求項３９〜４１のいずれか１項に記載のキットにおいて、前記締結具受け要素は固定
の規則的間隔で離間するキット。
【請求項４３】
請求項３４〜４２のいずれか１項に記載のキットにおいて、前記根太は、相互に接続さ
れて該根太を形成する少なくとも２つの細長の根太セクションを備えるキット。
【請求項４４】
請求項４３に記載のキットにおいて、前記根太は、前記少なくとも２つの根太セクショ
ンを相互に接合して前記根太を形成する少なくとも１つの固定部材をさらに備えるキット
。
【請求項４５】
請求項３４〜４４のいずれか１項に記載のキットにおいて、前記梁は、配管、配線、暖
房、換気、空調（ＨＶＡＣ）ダクティング、及び／又はセントラルバキュームダクティン
グを受ける少なくとも１つの開口をさらに備えるキット。
【請求項４６】
分解可能且つ再組立可能な床構造物を組み立てる方法であって、
ａ）請求項３４〜４５のいずれか１項に記載の複数の根太及び複数の二次根太を備えた
複数の組立式床構成要素を、前記複数の根太を相互に平行に配置し、前記二次根太の各端
に設けたラグを各対向ブリッジ要素に挿入することにより、分解可能な床構造物に組み立
てるステップ
を含み、前記根太及び前記二次根太は、相互に対して略垂直であり、床材面を受ける平面
を形成し、前記床構造物は、部分的又は完全に分解可能且つ第１構成又は異なる構成に再
組立可能である方法。
【請求項４７】
請求項４６に記載の方法において、前記ステップａ）の後に、
ｂ）前記複数の二次根太を前記複数の根太に締結するステップ
をさらに含む方法。
【請求項４８】
請求項４６又は４７に記載の方法において、前記ステップｂ）の後に、
ｃ）前記分解可能な床構造物に床材面を重ねるステップ
をさらに含む方法。
【請求項４９】
分解可能な床を組み立てる方法であって、
ａ）請求項３４〜４５のいずれか１項に記載の複数の根太及び複数の二次根太、並びに
複数の床用タイルを備えた組立式床構成要素を、前記複数の根太を相互に平行に配置し、
前記二次根太の各端に設けたラグを各対向ブリッジ要素に挿入することにより、分解可能
な床構造物に組み立てることによって、前記複数の床用タイルを受ける平面を形成するス
テップと、
ｂ）前記複数の床用タイルを前記分解可能な床構造物に重ねるステップと
を含み、前記根太及び前記二次根太は、相互に対して略垂直であり、複数の床用タイルを
受ける平面を形成し、前記床構造物を部分的又は完全に分解して第１構成又は異なる構成
に組み立て直すことができる方法。
【請求項５０】
請求項４９に記載の方法において、前記ステップｂ）の後に、
ｉ）前記床用タイルを重ねる前又は重ねた後に前記複数の二次根太を前記複数の根太に
締結するステップ
をさらに含む方法。
【請求項５１】
分解可能な天井アンカーシステム用のキットであって、
少なくとも２つの根太であり、天井野縁受け要素を受けるために該根太に沿った所定位
置に位置付けた少なくとも１つの主要要素をそれぞれが備える少なくとも２つの根太と、
少なくとも１つの胴縁を受けるよう構成した少なくとも１つの天井野縁受け要素と
を備え、前記胴縁は、前記天井野縁受け要素に挿入されると、天井面を受ける平面を形成
し、
前記分解可能な天井アンカーシステムを部分的又は完全に分解して第１構成又は異なる
構成に組み立て直すことができるキット。
【請求項５２】
請求項５１に記載のキットにおいて、前記根太は、固定の規則的間隔で離間した複数の
受け要素を備えるキット。
【請求項５３】
請求項５１又は５２に記載のキットにおいて、前記天井野縁受け要素は、各端に少なく
とも１つの固定要素を備えるキット。
【請求項５４】
請求項５３に記載のキットにおいて、前記固定要素は、前記天井野縁受け要素を前記根
太に固定する少なくとも１つの締結具受け要素を備えるキット。
【請求項５５】
請求項５３に記載のキットにおいて、前記固定要素は、前記天井野縁受け要素を前記根
太に固定するよう曲げることができる少なくとも１つの舌部を備えるキット。
【請求項５６】
請求項５１〜５５のいずれか１項に記載のキットにおいて、前記天井野縁受け要素は、
胴縁を受ける少なくとも１つの胴縁把持部材を備えるキット。
【請求項５７】
請求項５１〜５５のいずれか１項に記載のキットにおいて、前記天井野縁受け要素は、
胴縁を受ける複数の胴縁把持部材を備えるキット。
【請求項５８】
分解可能且つ再組立可能な天井構造物を組み立てる方法であって、
ａ）請求項５１〜５７のいずれか１項に記載の複数の根太及び複数の天井野縁受け要素
を備えた複数の組立式床構成要素を、複数の胴縁を前記天井野縁受け要素に配置すること
により組み立てるステップ
を含み、前記根太、前記天井野縁受け要素、及び前記胴縁は、部分的又は完全に分解可能
且つ第１構成又は異なる構成に再組立可能である天井面を受ける平面を形成する方法。
【請求項５９】
分解可能な胴縁支持材であって、
分解可能な胴縁把持部材であり、
スペーサ、及び
該スペーサの両端に接続した第１及び第２フック部材
の少なくとも一方を備えた分解可能な胴縁把持部材と、
適合するアタッチメント受け要素に受け止められて前記分解可能な胴縁把持部材に接続
される分解可能なアタッチメント部材と
を備えた分解可能な胴縁支持材。
【請求項６０】
請求項５９に記載の分解可能な胴縁支持材において、前記胴縁支持材は一体的である分
解可能な胴縁支持材。
【請求項６１】
分解可能且つ再組立可能な壁支持システム用のキットであって、
少なくとも１つの胴縁と、
少なくとも２つの請求項５９又は６０に記載の胴縁支持材と
を備えたキット。
【請求項６２】
分解可能且つ再組立可能な壁用のキットであって、
内部及び外部を画定する壁パネルと、
少なくとも１つの胴縁と、
少なくとも２つの請求項５９又は６０に記載の胴縁支持材と、
少なくとも２つの略細長の束柱であり、胴縁支持材を受け止める少なくとも１つのアタ
ッチメント受け要素をそれぞれが備えることにより、前記少なくとも１つの胴縁が前記少
なくとも２つの胴縁支持材に受け止められると、前記壁パネルが前記少なくとも２つの略
細長の束柱から離間されて前記パネルと前記略細長の束柱それぞれとの間に空間が画定さ
れる少なくとも２つの略細長の束柱と
を備え、前記空間は、前記分解可能な壁の前記内部と前記外部との間の熱橋効果を実質的
に低減し、前記壁を部分的又は完全に分解して第１構成又は異なる構成に組み立て直すこ
とができるキット。
【請求項６３】
請求項６２に記載のキットにおいて、前記壁パネルに隣接して前記束柱それぞれの間に
係合するよう構成した絶縁要素をさらに備えたキット。
【請求項６４】
請求項６３に記載のキットにおいて、前記絶縁要素は、絶縁パネル、絶縁繊維、及び絶
縁フォームの少なくとも１つであるキット。
【請求項６５】
誠請求項６１〜６４のいずれか１項に記載のキットにおいて、前記胴縁は消音材から作
られるキット。
【請求項６６】
分解可能な胴縁支持材であって、
少なくとも１つの細長の平面部材であり、
胴縁を固定する第１及び第２フック部材を有する少なくとも１つの胴縁把持部材と、
適合するアタッチメントを受ける複数の規則的に離間したアタッチメント受け要素と
を備えた少なくとも１つの細長の平面部材
を備えた分解可能な胴縁支持材。
【請求項６７】
請求項６６に記載の分解可能な胴縁支持材において、スペーサ部材により接続した２つ
の細長の平面部材を備えた分解可能な胴縁支持材。
【請求項６８】
請求項６７に記載の分解可能な胴縁支持材において、該胴分解可能な縁支持材はＵ字形
である分解可能な胴縁支持材。
【請求項６９】
請求項６６〜６８のいずれか１項に記載の分解可能な胴縁支持材において、該胴縁支持
材は一体的である分解可能な胴縁支持材。
【請求項７０】
分解可能且つ再組立可能な壁支持システム用のキットであって、
少なくとも１つの胴縁と、
少なくとも２つの請求項６６〜６８のいずれか１項に記載の胴縁支持材と
を備えたキット。
【請求項７１】
分解可能且つ再組立可能な壁用のキットであって、
内部及び外部を画定する壁パネルと、
少なくとも１つの胴縁と、
少なくとも２つの請求項６６〜６８に記載の胴縁支持材と、
少なくとも２つの略細長の束柱であり、分解可能な胴縁支持材を受け止める少なくとも
１つのアタッチメント受け要素をそれぞれが備えることにより、前記少なくとも１つの胴
縁が前記少なくとも２つの胴縁支持材に受け止められると、前記壁パネルが前記少なくと
も２つの略細長の束柱から離間されて前記パネルと前記略細長の束柱それぞれとの間に空
間が画定される少なくとも２つの略細長の束柱と
を備え、前記空間は、前記分解可能な壁の前記内部と外前記部との間の熱橋効果を実質的
に低減し、前記壁を部分的又は完全に分解して第１構成又は異なる構成に組み立て直すこ
とができるキット。
【請求項７２】
請求項６２に記載のキットにおいて、前記壁パネルに隣接して前記束柱それぞれの間に
係合するよう構成した絶縁要素をさらに備えたキット。
【請求項７３】
請求項６３に記載のキットにおいて、前記絶縁要素は、絶縁パネル、絶縁繊維、及び絶
縁フォームの少なくとも１つであるキット。
【請求項７４】
請求項６１〜６４のいずれか１項に記載のキットにおいて、前記胴縁は消音材から作ら
れるキット。
【請求項７５】
分解可能な電気接続箱支持材であって、
分解可能な胴縁把持部材であり、
スペーサ、及び
該スペーサの両端に接続したフック部材
の少なくとも一方を備えた分解可能な胴縁把持部材と、
前記分解可能な胴縁支持材に接続され、少なくとも１つの電気接続箱を収容する開口を
備えたハウジングと
を備えた分解可能な電気接続箱支持材。
【請求項７６】
請求項７５に記載の分解可能な電気接続箱支持材において、前記少なくとも１つの電気
接続箱を前記開口内に固設する少なくとも１つの固設要素をさらに備えた分解可能な電気
接続箱支持材。
【請求項７７】
請求項７６に記載の分解可能な電気接続箱支持材において、前記少なくとも１つの固設
要素は締結具受け開口を備える分解可能な電気接続箱支持材。
【請求項７８】
請求項７６に記載の分解可能な電気接続箱支持材において、該電気接続箱支持材は、前
記スペーサの両端に接続した第１及び第２フック部材を備える分解可能な電気接続箱支持
材。
【請求項７９】
請求項７５〜７８のいずれか１項に記載の分解可能な電気接続箱支持材において、該分
解可能な電気接続箱支持材は一体的である分解可能な電気接続箱支持材。
【請求項８０】
請求項７５〜７９のいずれか１項に記載の分解可能な電気接続箱支持材において、該分
解可能な電気接続箱支持材は少なくとも１つの電装箱を内部にさらに備える分解可能な電
気接続箱支持材。
【請求項８１】
分解可能且つ再組立可能なフレーム用のキットであって、
内面及び外面を有するフレームアセンブリであり、
前記内面に面しており、前記フレームアセンブリを略平行な第１及び第２束柱に固定
する少なくとも２つのフレームアセンブリアタッチメント
を備え、前記束柱は、前記フレームアセンブリアタッチメントを受ける複数の規則的に離
間したアタッチメント受け要素を有する、フレームアセンブリと、
第１及び第２胴縁受け棒材であり、
少なくとも１つの胴縁を受ける少なくとも１つの胴縁把持部材
を備え、前記略平行な第１及び第２束柱に対して略垂直に固定されて前記フレームアセン
ブリの周りに境界を形成するよう構成した、第１及び第２胴縁受け棒材と
を備えたキット。
【請求項８２】
請求項８１に記載のキットにおいて、前記胴縁把持部材は胴縁を固定する第１及び第２
フック部材を備えるキット。
【請求項８３】
請求項８１に記載のキットにおいて、前記胴縁受け棒材は２つの胴縁を受けるよう構成
されるキット。
【請求項８４】
請求項８１に記載のキットにおいて、前記フレームアセンブリは窓アセンブリ又はドア
アセンブリであるキット。
【請求項８５】
請求項８１に記載のキットにおいて、前記フレームアセンブリはドアアセンブリである
キット。
【請求項８６】
分解可能且つ再組立可能なフレーム用のキットであって、
フレームアセンブリであり、
相互に略平行な少なくとも２つの水平フレーム要素、及び
開口を画定する、相互に略平行な少なくとも２つの鉛直要素
を有するフレームアセンブリと、
該フレームアセンブリを略平行な第１及び第２束柱それぞれに固定する少なくとも２つ
のフレームアセンブリアタッチメントと
を備え、前記束柱は、前記フレームアセンブリアタッチメントを受ける複数の規則的に離
間したアタッチメント受け要素を有するキット。
【請求項８７】
請求項８６に記載のキットにおいて、前記水平フレーム要素又は前記鉛直要素は一体型
であるキット。
【請求項８８】
請求項８６に記載のキットにおいて、前記水平フレーム要素は第１及び第２水平フレー
ム要素を備えるキット。
【請求項８９】
請求項８６に記載のキットにおいて、前記鉛直フレーム要素は第１及び第２鉛直フレー
ム要素を備えるキット。
【請求項９０】
請求項８６に記載のキットにおいて、前記フレームアセンブリは窓アセンブリであるキ
ット。
【請求項９１】
請求項８６に記載のキットにおいて、前記フレームアセンブリはドアアセンブリである
キット。